(57)【要約】【課題】  本発明は、水道管路の枝管部内面に付着した錆を、複雑な構成の装置を使用することなく簡単に除去し、かつ外部へ排出することを目的とする。【解決手段】  先端に除去刃２を一体化したパイプ軸１と、前記パイプ軸１の外面に穿設された排水口３からなる枝管部清掃装置であって、前記パイプ軸１に外嵌する接続部材４によって枝管部ｐへ止水状態で取り付け、前記パイプ軸１後端部の操作ハンドル５を回転しながら下降することによって枝管部ｐ内面の錆を破砕し、その後、前記排水口３を開いて錆を外部へ排出するものである。従来のような清掃手段と錆排出手段を別体としたものより、著しく操作性が向上する。【選択図】図４
2010022914.tif 000002
【特許請求の範囲】
【請求項１】
管路から分岐している枝管部の内面を清掃するために使用する枝管部清掃装置において、先端に除去刃を一体化したパイプ軸と、前記パイプ軸の外面に穿設された排水口から構成され、前記パイプ軸を回転させながら枝管部に挿入し、前記パイプ軸とともに回転する前記除去刃によって取り落とされた枝管部内面の錆を、管内水とともにパイプ軸先端から取り込んで前記排水口から外部へ排出するようにしたことを特徴とする枝管部清掃装置。
【請求項２】
前記パイプ軸の後端部に操作ハンドルを取り付けることを特徴とする、請求項１記載の枝管部清掃装置。
【請求項３】
前記パイプ軸との間を止水状態にして、前記パイプ軸に外嵌するようにした枝管部側との接続部材が設けられたことを特徴とする、請求項１又は２記載の枝管部清掃装置。
【発明の詳細な説明】
【技術分野】
【０００１】
本発明は、管路の分岐部である枝管部の内面を清掃するために使用される枝管部清掃装置に関するものであり、特に水道管への消火栓設置のための枝管部に対する錆取りを目的としたものである。
【背景技術】
【０００２】
水道管路の維持管理作業には清掃作業、診断作業等があり、これらの作業が行われる際、消火栓取付部である枝管部から水道管内へピグや撮影装置が挿入される。一方、図６に図示されるように、枝管部の内面には錆が発生していることがあり、場合によっては、これらの装置を挿入することができないほどの錆が付着している。特許文献１、２記載の装置は枝管部内面の錆を除去するための装置であり、いずれも棒状部材の先端に刃やブラシが取り付けられ、棒状部材を回転させることによって錆を破砕するものである。
【特許文献１】実全昭６３−９８７９０号公報
【特許文献２】特開平１１−２１００２５号公報
【発明の開示】
【発明が解決しようとする課題】
【０００３】
特許文献１記載の装置は、吸引パイプの内部に回転ブラシを挿入した構成で、ブラシの回転によって枝管部内面に付着した錆を破砕し、その欠片を吸引パイプによって外部に排出しようとするものである。
【０００４】
また、特許文献２記載の装置は、Ｌ字型の排水パイプが枝管部に止水状態で取り付けられ、先端に刃部を形成した排出器が前記排水パイプに内嵌し、前記パイプのＬ字屈曲部から突き出たハンドルシャフトによって操作される仕組みとなっている。前記ハンドルシャフトを回転させながら下降すると、回転する前記刃部によって枝管部内面の錆が破砕される。破砕された錆は、前記排出器の空洞部を通過して、前記排水パイプから外部へ排出される。
【０００５】
しかし、これらの装置は、排水パイプと清掃具（回転ブラシ、排水器等）が別部材で構成されており、枝管部への清掃具の挿入又は装置全体の取付作業が煩雑なものとなる。本発明は、従来の枝管部清掃装置の構成をより簡易なものにし、作業性を向上させることを目的とする。
【課題を解決するための手段】
【０００６】
管路から分岐している枝管部の内面を清掃するために使用する枝管部清掃装置において、先端に除去刃を一体化したパイプ軸と、前記パイプ軸の外面に穿設された排水口から構成され、前記パイプ軸を回転させながら枝管部に挿入し、前記パイプ軸とともに回転する前記除去刃によって取り落とされた枝管部内面の錆を、管内水とともにパイプ軸先端から取り込んで前記排水口から外部へ排出するようにしたのである。このようにすることによって、排水パイプと清掃具が単一部材から構成することができ、枝管部への清掃具の挿入又は装置全体の取付作業が一段と容易なものとなる。
【０００７】
また、前記パイプ軸の後端部に操作ハンドルを取り付けることにより、容易に枝管部の清掃作業を行うことができる。尚、前記パイプ軸との間を止水状態にして、前記パイプ軸に外嵌するようにした枝管部側との接続部材を設けると、管路を断水することなく枝管部の清掃作業を容易に行うことができる。
【発明の効果】
【０００８】
管路の枝管部の清掃作業を従来よりも迅速に行うことができるため、水道管路の維持管理作業全体の工数を著しく低下させることができる。
【発明を実施するための最良の形態】
【０００９】
本発明の一実施例を図１から図５に基づいて説明する。本実施例の枝管部清掃装置は、パイプ軸１と、その先端に一体的に設けられた除去刃２と、前記パイプ軸１の外面に穿設された排水口３から成り、パイプ軸１の後端部には操作ハンドル５が一体的に設けられている。
【００１０】
前記除去刃２は、筒状部材を前記パイプ軸１先端に外嵌したもので、先端を鋸状等に加工した刃先とし、後端をボルトによってパイプ軸１と締結している。刃先は主に枝管部ｐに付着した錆を取り落とせるようなものならどのような形状でもよく、刃先が枝管部ｐ内面と対向していてもよい。除去刃２をパイプ軸１の先端を加工したものであってもよいが、錆の付着状態、枝管径によって除去刃２の外径を変えることが必要な場合には本実施例の態様が望ましい。除去刃２の材質としてはステンレスが望ましい。
【００１１】
前記排水口３は、前記パイプ軸１後端部付近の外面に穿設され、ボールバルブ６及びホース１１を取り付けられるようになっている。前記操作ハンドル５は、本実施例のようにパイプ軸１に固着してもよいが、作業スペース、錆の付着状態によって外径の異なる操作ハンドル５を着脱自在に取り付けられるようにしてもよい。
【００１２】
尚、本実施例では、枝管部ｐ側との接続部材４が前記パイプ軸１に外嵌している。図２に図示されているように、前記接続部材４は、カプラ７と止水部８から成り、前記止水部８は前記カプラ７の上端凹部に嵌め込まれており、パッキンケース８ｂ内部に収納されたＶパッキン８ａを、前記パッキンケース８ｂとパッキン押え８ｃの間でボルト８ｄを締めこんでパイプ軸１に押圧し、パイプ軸１と接続部材４の間を止水できるようにしている。前記カプラ７は、筒状本体７ａと、前記筒状本体７ａの内周上底に取り付けられたガスケット７ｂ、本体７ａの外面に取り付けられたレバー７ｃで構成されている。
【００１３】
前記筒状本体７ａには、後述するフランジアダプタ９の筒状部９ａが差し込まれ、前記レバー７ｃの回動によって筒状部９ａへ固定されるとともに、前記ガスケット７ｂに筒状部９ａの上面が押し付けられ、接続部材４と枝管部ｐ側との止水を可能にする。この接続部材４は、前記フランジアダプタ９に対して前記レバー７ｃを回動することだけで接合離脱できるため、非常に便利であるが、接続部材４はこのような構成でなくてもよく、パイプ軸１と枝管部ｐ側を接続連通することができ、接続部材４とパイプ軸１の間、及び接続部材４と枝管部ｐ側との間が止水することができ、管内水を錆とともに排出する際、枝管部ｐから漏水することなく前記排水口３から排出することができるようなものであればよい。図３の他の実施例は、前記カプラ７を使用せず、パッキンケースがフランジアダプタ９と一体となった接続部材４をパイプ軸１に外嵌した態様である。
【００１４】
次に、このような枝管部清掃装置を使用した、水道管路Ｐの枝管部ｐにおける錆取り作業の方法について説明を行う。最初に、枝管部ｐに補修弁１０を介して設置されている消火栓を取り外し、前記フランジアダプタ９を、フランジ部９ｂを介して前記補修弁１０に取り付ける。このとき、管路Ｐは断水していないため前記補修弁１０は閉止した状態にしておく。続いて、前記接続部材４を前記パイプ軸１先端に配置し、前記排水口３にボールバルブ６を閉止した状態で取り付けてから、前記筒状本体７ａを前記筒状部９ａに嵌め込んで、前記レバー７ｃを図１の状態から図４の状態に回動して、装置を枝管部ｐと接合する。
【００１５】
そして、前記補修弁１０を開き、図４の矢印に示すように、前記操作ハンドル５を回転しながら装置を下降させる。このとき、枝管部ｐに付着していた錆は、回転しながら下降する前記除去刃２によって破砕され、枝管部ｐ直下に堆積することとなる。前記除去刃２が枝管部ｐと管路Ｐの付け根部分まで到達すると、装置を上昇させ、その後、前記の作業を数回繰り返す。
【００１６】
上記の作業を繰り返し、枝管部ｐの錆が十分除去できたと判断された時点で、装置をパイプ軸１先端が管底付近に到達するまで下降させる（図４の二点鎖線）。そして、前記排水口３が排水場所（図示せず）の方向を向くように装置を回転し、前記ボールバルブ６先端にホース１１を接続する（図５）。その後、前記ボールバルブ６を開くと、管路Ｐを断水していないため、破砕して枝管部ｐ直下に堆積していた錆片は、管内水とともに枝管部ｐからパイプ軸１とホース１１を通って、排水場所へ排出される。
【００１７】
上記の錆取り作業が終了すると、前記ボールバルブ６を閉止し、前記ホース１１をボールバルブ６の先端から取り外す。続いて、装置を上昇させ、パイプ軸１の先端が前記筒状部９ａの内部に到達した時点で前記補修弁１０を閉じる。そして、前記レバー７ｃを回動して前記筒状本体７ａを前記筒状部９ａから分離し、装置を枝管部ｐから取り外す。最後に、前記フランジアダプタ９を前記補修弁１０から取り外し、消火栓を補修弁１０に設置する。
【００１８】
本実施例では、管路Ｐを断水することなく作業を行っているが、枝管部ｐ近傍の上流側と下流側の管路Ｐに仕切弁が設けられている場合、断水して作業を行うことも考えられる。このような場合、前記接続部材４によって枝管部ｐ側と清掃装置の間を止水する必要は無い。但し、管内水には水圧が無く、管内水とともに錆を排出するには、ホース１１を介して前記排水口３に特許文献１に記載されているような吸引手段（バキュームポンプ等）を取り付け、その吸引力を利用しなければならない。
【図面の簡単な説明】
【００１９】
【図１】本発明の一実施例の正面図
【図２】本発明の一実施例の正面断面図
【図３】本発明の他実施例の正面断面図
【図４】本発明の装置を使用した作業説明図
【図５】本発明の装置へのホース取付図
【図６】枝管に錆が付着した状態の説明図
【符号の説明】
【００２０】
１．パイプ軸
２．除去刃
３．排水口
４．接続部材
５．操作ハンドル
６．ボールバルブ
７．カプラ
７ａ．筒状本体
７ｂ．ガスケット
７ｃ．レバー
８．止水部
８ａ．Ｖパッキン
８ｂ．パッキンケース
８ｃ．パッキン押え
８ｄ．ボルト
９．フランジアダプタ
９ａ．筒状部
９ｂ．フランジ部
１０．補修弁
１１．ホース
Ｐ．水道管路
ｐ．枝管部
【図１】
2010022914.tif 000003
【図２】
2010022914.tif 000004
【図３】
2010022914.tif 000005
【図４】
2010022914.tif 000006
【図５】
2010022914.tif 000007
【図６】
2010022914.tif 000008